(57)【特許請求の範囲】
【請求項１】
外郭を形成するポンプ本体と、
当該ポンプ本体内のポンプ室に流体を吸入する吸入通路と、
前記ポンプ本体の外部に設けられ、前記吸入通路に通ずるフィルターとを備え、
当該フィルターが、前記ポンプ本体から着脱自在な構造であり、
前記ポンプ本体の外部に設けられ、前記吸入通路に通ずる圧力スイッチを備え、
当該圧力スイッチが、前記ポンプ本体から着脱自在な構造であることを特徴とするダイヤフラムポンプ。
【請求項２】
外郭を形成するポンプ本体と、
当該ポンプ本体内のポンプ室に流体を吸入する吸入通路と、
前記ポンプ本体の外部に設けられ、前記吸入通路に通ずるフィルターとを備え、
前記フィルターが、前記ポンプ本体から着脱自在な構造であり、
前記ポンプ室の流体を排出する排出通路を備え、
前記ポンプ本体の外部に設けられ、前記排出通路に通ずる圧力スイッチを備え、
当該圧力スイッチが、前記ポンプ本体から着脱自在な構造であることを特徴とするダイヤフラムポンプ。
【請求項３】
前記フィルターに活性炭又は中空糸膜を使用したことを特徴とする請求項１又は２記載のダイヤフラムポンプ。
【請求項４】
前記フィルターを活性炭又は中空糸膜の二重又は多重構造としたことを特徴とする請求項１又は２記載のダイヤフラムポンプ。
【発明の詳細な説明】
【技術分野】
【０００１】
本発明は、流体をダイヤフラムによって移送するダイヤフラムポンプに関する。
【背景技術】
【０００２】
従来の気体や液体をダイヤフラムの伸縮によって移送するダイヤフラムポンプにおいて、流体に混入してポンプ内に吸入される塵埃等や液体に混入した成分によりポンプ内部で詰まりが起こり、ポンプの性能低下を招く恐れがあった。従来では、塵埃に起因するポンプの性能の低下を阻止するため、吸入通路を多数の小径の通路によって構成したダイヤフラムポンプが提案されている（特許文献１）。
【０００３】
また従来より、流体をダイヤフラムポンプの伸縮によって移送し、対象ケース内部圧を調整するダイヤフラムポンプにおいて、小型のダイヤフラムポンプでは要求圧力を保つよう自動でポンプを動作させることは難しかったため、圧力センサ等を設けて対象ケース内部圧の調整を行う中型〜大型のダイヤフラムポンプが提案されている（特許文献２）。
【先行技術文献】
【特許文献】
【０００４】
【特許文献１】特開２００７−９７１５号公報
【特許文献２】特開平７−１２７５７６号公報
【発明の開示】
【発明が解決しようとする課題】
【０００５】
しかし、特許文献１記載のダイヤフラムポンプでは、液体に溶出した物質は容易に吸入通路を通過してしまい、ポンプ室や弁、排気口などで析出して詰まりを起こし、ポンプの性能低下を招く恐れがある、という問題点があった。
【０００６】
また、特許文献２記載の中型〜大型のポンプでは、大きなスペースを要する、という問題点があった。
【０００７】
本発明は、上記の問題点に鑑みてなされたもので、液体に混入した成分や塵埃を除去し、ポンプ内部での詰まりを防ぐダイヤフラムポンプを提供することを第１の目的とする。
【０００８】
また本発明は、省スペースで小型のポンプであって、要求圧力を保つダイヤフラムポンプを提供することを第２の目的とする。
【課題を解決するための手段】
【０００９】
請求項１の発明のダイヤフラムポンプでは、外郭を形成するポンプ本体と、当該ポンプ本体内のポンプ室に流体を吸入する吸入通路と、前記ポンプ本体の外部に設けられ、前記吸入通路に通ずるフィルターとを備え、当該フィルターが、前記ポンプ本体から着脱自在な構造であり、前記ポンプ本体の外部に設けられ、前記吸入通路に通ずる圧力スイッチを備え、当該圧力スイッチが、前記ポンプ本体から着脱自在な構造であることを特徴とする。
【００１０】
請求項２の発明のダイヤフラムポンプでは、外郭を形成するポンプ本体と、当該ポンプ本体内のポンプ室に流体を吸入する吸入通路と、前記ポンプ本体の外部に設けられ、前記吸入通路に通ずるフィルターとを備え、前記フィルターが、前記ポンプ本体から着脱自在な構造であり、前記ポンプ室の流体を排出する排出通路を備え、前記ポンプ本体の外部に設けられ、前記排出通路に通ずる圧力スイッチを備え、当該圧力スイッチが、前記ポンプ本体から着脱自在な構造であることを特徴とする。
【００１１】
請求項３の発明のダイヤフラムポンプでは、前記フィルターに活性炭又は中空糸膜を使用したことを特徴とする。
【００１２】
請求項４の発明のダイヤフラムポンプでは、前記フィルターを活性炭と中空糸膜の二重または多重構造としたことを特徴とする。
【発明の効果】
【００１６】
請求項１の発明によれば、フィルターを設けたことで塵埃や液体に溶出した成分を除去し、ポンプ内部での詰まりを防ぐことができる。また、フィルターを着脱構造にすることで交換が容易になり、また既存の気体用ポンプに取り付けることで液体用ポンプとして使用することができ、新たに液体用ポンプとしを設計する必要がない。また、対象容器の内部圧を下げる場合に、自動で要求圧力に調整することができる。また、圧力スイッチを着脱構造にすることで、圧力スイッチの交換が容易になる。また、新たにポンプを設計する必要がなく、取付部のサイズが同じであれば既存のポンプに取付け可能となる。
【００１７】
請求項２の発明によれば、フィルターを設けたことで塵埃や液体に溶出した成分を除去し、ポンプ内部での詰まりを防ぐことができる。また、フィルターを着脱構造にすることで交換が容易になり、また既存の気体用ポンプに取り付けることで液体用ポンプとして使用することができ、新たに液体用ポンプとしを設計する必要がない。また、対象容器の内部圧を下げる場合に、自動で要求圧力に調整することができる。また、圧力スイッチを着脱構造にすることで、圧力スイッチの交換が容易になる。また、新たにポンプを設計する必要がなく、取付部のサイズが同じであれば既存のポンプに取付け可能となる。
【００１８】
請求項３の発明によれば、フィルターに活性炭を用いることで、水のような分子量の小さい物質のみ通過させ、分子量の大きい有機物等を吸着することができる。また、フィルターに中空糸膜を用いることで、細菌や塵埃等を除去することができる。
【００１９】
請求項４の発明によれば、活性炭で有機物等を除去し、且つ中空糸膜で細菌や塵埃等を除去することができる。
【図面の簡単な説明】
【００２３】
【図１】本発明の第１実施例におけるダイヤフラムポンプの断面図である。
【図２】同上、フィルター部周辺を示す断面図である。
【図３】同上、フィルター部の断面図である。
【図４】同上、図３とは別なフィルター部の断面図である。
【図５】同上、チューブ周辺を示す断面図である。
【図６】同上、図５とは別なチューブ周辺を示す断面図である。
【図７】本発明の第２実施例におけるダイヤフラムポンプの断面図である。
【図８】同上、圧力スイッチ部周辺を示す断面図である。
【図９】同上、圧力スイッチ部の断面図である。
【図１０】同上、図９とは別な圧力スイッチ部の断面図である。
【図１１】同上、チューブ周辺を示す断面図である。
【図１２】同上、図１１とは別なチューブ周辺を示す断面図である。
【図１３】本発明の第２実施例におけるダイヤフラムポンプの断面図である。
【発明を実施するための最良の形態】
【００２４】
以下、本発明に係るダイヤフラムポンプの好ましい各実施例を、添付図面に基づいて説明する。
【実施例１】
【００２５】
図１〜図６は、本発明のダイヤフラムポンプの実施例１を示すものである。
【００２６】
本実施例のダイヤフラムポンプは、ダイヤフラム１によって形成され膨張・収縮するポンプ室２と、このポンプ室２に空気または液体等の流体を吸入するための吸入通路３と、ポンプ室２内の空気または液体を排出するための排出通路４と、吸入通路３に設けられポンプ室２から吸入通路３への空気または液体の逆流を規制する吸入弁５と、排出通路４に設けられたポンプ室２への空気または液体の逆流を規制する吐出弁６とを備えたものである。
【００２７】
このダイヤフラムポンプは、略有底筒状に形成されたケース７を備え、このケース７の底部８にはモータ９が取り付けられており、このモータ９の出力軸１０が底部８に設けた孔１１からケース７内に臨んでいる。１２は、クランク台であり、モータ９の出力軸１０に回転自在に軸着されており、出力軸１０が挿入された中心部から偏心した位置には、駆動軸１３が鉛直方向に対して傾斜した状態で保持されている。１４は駆動体であり、互いに反対方向に一体に突設された一対の駆動子１５を備えて構成されており、駆動体１４の中央部の軸穴１４Ａには駆動軸１３が軸装されている。
【００２８】
一対の駆動子１５のそれぞれの先端部には、前記ダイヤフラム１が取り付けられている。
【００２９】
前記ダイヤフラム１は、柔軟性を有する弾性材料から形成され薄板状に形成されたダイヤフラム本体１Ａと、ダイヤフラム本体１Ａの下面から下方に延設させて一体に形成された釣鐘形状を有する一対のダイヤフラム部１Ｂとを有している。ダイヤフラム１は、ダイヤフラム本体１Ａの上面及び下面をそれぞれダイヤフラムホルダー１６及びバルブホルダー１７によって挟持された状態で固定されるとともに、各ダイヤフラム部１Ｂの先細形状に形成された下端１Ｃを駆動子１５にそれぞれ固定されている。
【００３０】
ここで、前記ポンプ室２は、ダイヤフラム部１Ｂとダイヤフラムホルダー１６の底部１７Ｂ下面によって画設されて形成したものである。
【００３１】
また、吐出弁６は、ダイヤフラム本体１Ａとダイヤフラム部１Ｂとの境界部分であるダイヤフラム部１Ｂの上部開口部分周縁を上方へ薄板状に延設して設けたものである。
【００３２】
前記ダイヤフラムホルダー１６は、ダイヤフラム本体１Ａを当接支持可能に形成された平坦な上面部１６Ａを備えるとともに、この上面部１６Ａには各ダイヤフラム部１Ｂを下端１Ｃを保持する保持用貫通部１６Ｂを備えている。またダイヤフラムホルダー１６の中央下側には出力軸１０と同軸上に配置され、駆動体１４の上部中央に半円弧状に設けた凹部１４Ｂを上方から回転自在に軸支可能とする軸部１６Ｃを備えている。
【００３３】
前記バルブホルダー１７は、上部を開口した有底筒状の保持枠１７Ａを一体に備えている。
【００３４】
また、吐出弁６と保持枠１７Ａ外側面は、互いに面接触可能に設けられており、吐出弁６と保持枠１７Ａ外側面とが面接触した状態を吐出弁６が閉じた状態とし、さらに前記排出通路４は吐出弁６と保持枠１７Ａとの間に設けられるものとする。
【００３５】
１８はケース７の上方を覆う蓋体であり、この蓋体１８は下方に開口部分を有しており、蓋体１８内部に上下方向に立設され、蓋体１８内部を内側と外側に区画する仕切壁１８Ａを一体に備えている。
【００３６】
また、蓋体１８の上部中央には、蓋体１８内部の仕切壁１８Ａの内側と蓋体１８外部とを連通して設けた筒状の排出口１９を備えるとともに、蓋体１８の上部における排出口１９周辺には、蓋体１８内部における仕切壁１８Ａの外側と蓋体１８外部とを連通して設けた筒状の吸入口２０を備えている。２１は、蓋体１８とバルブホルダー１７を気密または液密にシールするパッキンである。
【００３７】
ここで、バルブホルダー１７、蓋体１８及びパッキン２１の間の内部空間には、保持枠１７Ａ、仕切壁１８Ａ及びパッキン１９を境界として、内側に排出通路４と連通する排出空間２２と備え、外側に吸入通路３と連通する吸入空間２３を備えている。
【００３８】
ここで、本実施例の特徴的部分であるフィルター部２４について説明する。フィルター部２４はダイヤフラムポンプのポンプ本体２５外部に位置し、蓋体１８に一体に形成された吸入口２０にフィルター部２４の外郭であるフィルターケース２６がチューブ２７を介して着脱自在に取り付けられており、空気又は液体等の流体はフィルター側吸入口２８からフィルターケース２６内部を通過し、フィルター側排出口２９からダイヤフラムポンプの吸入通路３へと吸入されるものである。ここで、ポンプ本体２５とは、ケース７、ダイヤフラムホルダー１６、バルブホルダー１７、蓋体１８等からなるダイヤフラムポンプの外郭を形成するものである。
【００３９】
また、フィルターケース２６は中空な容器として形成されており、前述のフィルター側吸入口２８とフィルター側排出口２９は、フィルターケース２６の一側面とこの一側面と対向する他側面にそれぞれフィルターケース２６内部と外部とを連通して筒状に設けたものである。
【００４０】
図２に示すように、フィルターケース２６内部には活性炭または中空糸膜、あるいは活性炭と中空糸膜から成るフィルター本体３０が内蔵されている。フィルターケース２６にはフィルター側吸入口２８とフィルター側排出口２９がフィルターケース２６の異なる面に配設されており、フィルター側吸入口２８から吸入された空気又は液体等の流体は、フィルター内部を通ってろ過され、フィルター側排出口２９からポンプ室２へと吸入される。ここで、活性炭とは有機質原料を炭化・賦活して得られる内部表面積及び吸着能が大きい炭素質物質のことであり、中空糸膜とは中空の糸状に成形した膜のことである。
【００４１】
また、活性炭と中空糸膜から成るフィルター本体３０は、活性炭の層と中空糸膜の層を二層または多重に積層した積層構造としてもよい。
【００４２】
さらに、フィルターケース２６の形状は四角形、球形等、設計意図により変形させてもよい。また、フィルターケース２６のフィルター側吸入口２８や、フィルター側排出口２９も同様に、その位置を変えてもよく、図３に示すようなフィルター側吸入口２８の中心軸線Ｘとフィルター側排出口２９の中心軸線Ｙを同一線上に配設したものに限定されず、図４に示すように中心軸線Ｘと中心軸線Ｙを互いに交差させたり、図示しないが中心軸線Ｘと中心軸線Ｙを略平行としたものでもよいものとする。
【００４３】
また、フィルター部２４のフィルター側排出口２９はゴムなどの弾性部材からなる伸縮自在なチューブ２７によって空気または液体の漏れなくポンプ本体２５の吸入口２０に取り付けられている。
【００４４】
ここで、チューブ２７は伸縮自在であるため、容易にフィルター部２４やポンプ本体２５から取り外すことができる。図５、図６は本実施例の変形例であり、ポンプの設置場所によってはチューブ２７の長さを変えたり、チューブ２７を略Ｓ字型等に屈曲させることも可能であり、チューブ２７の屈曲についてもＳ字型に限らず、略Ｌ字型や略Ｕ字型等としてもよい。
【００４５】
続いて、上記構成のダイヤフラムポンプの動作について説明する。モータ９の駆動による出力軸１０の回転に伴い、このクランプ台１２が出力軸１０と一体的に回転すると、駆動軸１３は出力軸１０を中心としてその傾斜方向を変えるようにして偏心回転する。駆動軸１３の偏心回転に伴って、駆動体１４の一対の駆動子１５は出力軸１０の軸方向と平行となるように交互に上下方向に揺動し、各駆動子１５に固定されたダイヤフラム１のダイヤフラム部１Ｂも各駆動子１５の揺動動作に追従して交互に上下方向に揺動する。これにより、一方のダイヤフラム部１Ｂの下端が下方に移動してダイヤフラム部１Ｂの容積が増加すると、ポンプ室２は拡張して大気圧より低い減圧状態となって、吐出弁６は閉じ、反対に吸入弁５の弁体２５がポンプ室２内部へと吸引されて下方に移動すると、この弁体２５によって閉鎖されていた吸入通路３が開放されて、流体が吸入口２０から吸入通路３を通ってポンプ室２内に吸入される。
【００４６】
その後、モータ９の出力軸１０がさらに回転すると、拡張したポンプ室２のダイヤフラム部１Ｂの下端１Ｃが上方に移動して、ダイヤフラム部１Ｂの容積が減少するとポンプ室２は収縮するので、ポンプ室２内の流体の圧力が上昇し、流体により吸入弁５の弁体２５が押し上げられて弁体２５が上方に移動すると吸入弁５は閉じ、反対に吐出弁６が開いてポンプ室２の流体は排出通路４を通って排出口１９から吐出される。このようにポンプ室２の膨張・収縮動作は、各ポンプ室２においてダイヤフラム部１Ｂの伸縮に応じて交互に連続して行われ、各排出通路４から排出された流体は、排出空間２２で合流して排出口１９から連続して吐出される。
【００４７】
また、ダイヤフラムポンプの吸入口側にフィルター部２４を設けたことで、フィルター部２４に内蔵されたフィルター本体３０によって塵埃や液体に混入した成分を除去し、ポンプ内部での詰まりを防ぐことができる。
【００４８】
さらに、フィルター部２４をチューブ２７を介してダイヤフラムポンプに着脱自在な構造にすることでフィルター部２４の交換が容易になり、また既存の気体用ポンプに取り付けることで液体用ポンプとして使用することができ、新たに液体用ポンプを設計する必要がない。
【００４９】
また、チューブ２７の長さを変えたり、屈曲させることで、ダイヤフラムポンプの設置スペース３８の制約等を受けず、設計の自由度も増す。
【００５０】
以上のように本実施例は請求項１に対応しており、ポンプ室２に流体を吸入する吸入通路３と、吸入通路３に通ずる外部にフィルター部２４とを備えたダイヤフラムポンプであって、フィルター部２４が、ポンプ本体２５から着脱自在な構造である。
【００５１】
この場合、フィルター部２４を設けたことで塵埃や液体に溶出した成分を除去し、ポンプ内部での詰まりを防ぐことができる。また、フィルター部２４を着脱構造にすることで交換が容易になり、また既存の気体用ポンプに取り付けることで液体用ポンプとして使用でき、新たに液体用ポンプを設計する必要がない。
【００５２】
さらに本実施例は請求項２に対応しており、フィルター本体３０の材料に活性炭を使用した。
【００５３】
この場合、フィルター本体３０に活性炭を用いることで、水のような分子量の小さい物質のみ通過させ、分子量の大きい有機物等を吸着することができる。
【００５４】
また本実施例は請求項３に対応しており、フィルター本体３０の材料に中空糸膜を使用した。
【００５５】
この場合、フィルター本体３０に中空糸膜を用いることで、細菌や塵埃等を除去することができる。
【００５６】
さらに本実施例は請求項４に対応しており、フィルター本体３０を活性炭と中空糸膜との二重または多重構造としたことを特徴とする。
【００５７】
この場合、活性炭で有機物等を除去し、且つ中空糸膜で細菌や塵埃等を除去することができる。
【実施例２】
【００５８】
次に、本発明の第２実施例を図７〜図１２に基づき説明する。なお、ここで使用するダイヤフラムは、第１実施例と全く同じものである。したがって、第１実施例と同一部分には同一符号を付し、その共通する箇所の説明は極力省略する。
【００５９】
圧力スイッチ部３１は、ダイヤフラムポンプのポンプ本体２５外部に位置し、蓋体１８に一体に形成された吸入口２０に圧力スイッチ部３１の外郭であるスイッチケース３２のスイッチ側排出口３３がチューブ３４を介して着脱自在に取り付けられている。流体はスイッチケース３２のスイッチ側吸入口３５からスイッチケース３２内部を通過し、スイッチケース３２のスイッチ側排出口３３からダイヤフラムポンプの吸入口２０へと吸入される構成となっている。
【００６０】
ここで、スイッチケース３２は中空な容器として形成されており、前述のスイッチ側吸入口３５とスイッチ側排出口３３は、スイッチケース３２の一側面とこの一側面と対向する他側面にそれぞれスイッチケース３２内部と外部とを連通して筒状に設けたものである。
【００６１】
また、スイッチケース３２内部は、スイッチ側吸入口３５からスイッチ側排出口３３へと流体が通過する側の通路３６と、スイッチ本体３７が配置され、流体の通らない側の閉塞されたスペース３８とに分けられ、流体が通過する側の通路３６と流体の通らないスペース３８とは、ゴムなどの弾性部材からなる伸縮自在な壁面部材３９により区分されている。対象となる容器の内部圧Ｐ１が所定の要求圧Ｐ０よりも高い場合（Ｐ１＞Ｐ０）には、壁面部材３９は通路３６側からスイッチ本体３７側に向かって弾性変形し、スイッチ本体３７は壁面部材３９に押されて通電状態となると、制御手段（図示せず）によりポンプが作動して、ポンプの排出口１９からの流体の供給先としての水槽や浄化槽等の対象となる容器（図示せず）内の圧力が下げられる。
【００６２】
一方、対象となる容器の内部圧Ｐ１が所定の要求圧Ｐ０に達すると（Ｐ１＝Ｐ０）、逆に壁面部材３９はスイッチ本体３７側から通路３６側へと弾性変形し、壁面部材３９はスイッチ本体３７から離れることで通電が切れると制御手段により、ポンプが停止する。この一連の動作が繰り返されることにより、対象となる容器の内部圧Ｐ１が要求圧Ｐ０より上がった場合にも自動でポンプが作動し、内部圧Ｐ１を一定に保持することができる。
【００６３】
さらに、スイッチケース３２の形状は四角形、球形等、設計意図により変形させてもよい。また、スイッチケース３２のスイッチ側吸入口３５、スイッチ側排出口３３も同様に、その位置を変えてもよく、図９に示すようなスイッチ側吸入口３５の中心軸線Ｌとスイッチ側排出口３３の中心軸線Ｍを同一線上に配設したものに限定されず、図１０に示すように中心軸線Lと中心軸線Ｍを互いに交差させたり、図示しないが中心軸線Ｌと中心軸線Ｍを略平行としたものでもよいものとする。
【００６４】
また、圧力スイッチ部３１のスイッチ側排出口３３はゴムなどの弾性部材からなる伸縮自在なチューブ３４によって空気または液体の漏れなくポンプ本体２５の吸入口に取り付けられている。
【００６５】
ここで、チューブ３４は実施例１記載のチューブ２７と同様に伸縮自在であるため、容易に圧力スイッチ部３１やポンプ本体２５から取り外すことができる。図１１、図１２は本実施例の変形例であり、ポンプの設置場所によってはチューブ３４の長さを変えたり、チューブ３４を略Ｓ字型等に屈曲させることも可能であり、チューブ３４の屈曲についてもＳ字型に限らず、略Ｌ字型や略Ｕ字型等としてもよい。
【００６６】
以上のように本実施例は請求項５に対応しており、吸入通路３に通ずるポンプ本体２５の外部に圧力スイッチ部３１を備えたことにより、対象となる容器の内部圧を下げる場合に、自動で要求圧力に調整することができる。
【００６７】
また、本実施例は請求項７に対応しており、圧力スイッチ部３１が、ポンプ本体２５から着脱自在な構造である。
【００６８】
この場合、圧力スイッチ部３１をポンプ本体２５から着脱自在な構造にすることで、圧力スイッチ部３１の交換が容易になる。また、新たにポンプを設計する必要がなく、取付部（吸入口２０、排出口１９）のサイズが同じであれば既存のポンプに取付け可能となる。
【実施例３】
【００６９】
次に、本発明の第３実施例を図１３に基づき説明する。なお、ここで使用するダイヤフラムは、第１実施例と全く同じものであり、チューブ２７は第２実施例と全く同じものである。したがって、第１実施例及び第２実施例と同一部分には同一符号を付し、その共通する箇所の説明は極力省略する。
【００７０】
圧力スイッチ部４０は、ダイヤフラムポンプのポンプ本体２５外部に位置し、蓋体１８に一体に形成された排出口１９に圧力スイッチ部４０の外郭であるスイッチケース４１のスイッチ側排出口４２がチューブ３４を介して着脱自在に取り付けられている。ダイヤフラムの伸縮により流体が吸入口２０から吸入され、排出口１９から吐出された流体がスイッチ側吸入口４３からスイッチケース４１内部を通過し、スイッチ側排出口４２から対象となる容器内へと流入する構成となっている。
【００７１】
ここで、スイッチケース４１は中空な容器として形成されており、前述のスイッチ側吸入口４３とスイッチ側排出口４２は、スイッチケース４１の一側面とこの一側面と対向する他側面にそれぞれスイッチケース４１内部と外部とを連通して筒状に設けたものである。
【００７２】
また、スイッチケース４１内部は、スイッチ本体４４が配置され、スイッチ側吸入口４３からスイッチ側排出口４２へと流体が通過する側の通路４５と、流体の通らない側の閉塞されたスペース４６とに分けられ、流体が通過する側の通路４５と流体の通らないスペース４６とは、ゴムなどの弾性部材からなる伸縮自在な壁面部材４７により区分されている。対象となる容器の内部圧Ｐ１が所定の要求圧Ｐ０よりも低い場合（Ｐ１＜Ｐ０）には、壁面部材４７はスペース４６側からスイッチ本体４４が設置された通路４５側に向かって弾性変形し、スイッチ本体４４は壁面部材４７に押されて通電状態となると、制御手段によりポンプが作動して、対象となる容器内の圧力が上げられる。
【００７３】
一方、対象となる容器の内部圧Ｐ１が要求圧Ｐ０に達すると（Ｐ１＝Ｐ０）、逆に壁面部材４７は通路４５側からスペース４６側へと弾性変形し、壁面部材４７はスイッチ本体４４から離れることで通電が切れると制御手段により、ポンプが停止する。この一連の動作が繰り返されることにより、対象となる容器の内部圧Ｐ１が要求圧Ｐ０より下がった場合にも自動でポンプが作動し、内部圧Ｐ１を一定に保持することができる。
【００７４】
さらに、スイッチケース４１の形状はスイッチケース３２同様に四角形、球形等、設計意図により変形させてもよい。また、スイッチケース３２のスイッチ側吸入口３５及びスイッチ側排出口３３と同様にスイッチケース４１のスイッチ側吸入口４３、スイッチ側排出口４２も同様に、その位置を変えてもよい。
【００７５】
以上のように本実施例は請求項６に対応しており、ポンプ室２の流体を排出する排出通路４を備え、排出通路４に通ずるポンプ本体２５外部に圧力スイッチ部４１を備えた。
【００７６】
この場合、対象となる容器の内部圧を上げる場合に、自動で要求圧力に調整することができる。
【００７７】
また、本実施例は請求項７に対応しており、圧力スイッチ部４０が、ポンプ本体２５から着脱自在な構造である。
【００７８】
この場合、圧力スイッチ部４０をポンプ本体２５から着脱自在な構造にすることで、圧力スイッチ部４０の交換が容易になる。また、新たにポンプを設計する必要がなく、取付部（吸入口２０、排出口１９）のサイズが同じであれば既存のポンプに取付け可能となる。
【００７９】
なお、本発明は上記実施例に限定されるものではなく、種々の変形実施が可能である。例えば、実施例１記載のフィルター部２４と実施例２記載の圧力スイッチ部３１をダイヤフラムポンプの吸入通路３６側に直列して接続してもよく、この直列接続の際のフィルター部２４と圧力スイッチ部３１の取付順序については適宜変更可能である。さらに、ダイヤフラムポンプの吸入通路３６側と排出通路３６側の両方に圧力スイッチ部３１,４０を備えたとしてもよい。また、本発明のフィルター部２４及び圧力スイッチ部３１,４０は各実施例に記載のダイヤフラム式のポンプに限らず、様々な種類のポンプや流体機械等に適用可能である。
【符号の説明】
【００８０】
２  ポンプ室
３  吸入通路
４  排出通路
７  ケース（外郭）
１６  ダイヤフラムホルダー（外郭）
１７  バルブホルダー（外郭）
１８  蓋体（外郭）
２４  フィルター部（フィルター）
２５  ポンプ本体
３１  圧力スイッチ部（圧力スイッチ）
４０  圧力スイッチ部（圧力スイッチ）
【図１】
0005633326.tif 000002
【図２】
0005633326.tif 000003
【図３】
0005633326.tif 000004
【図４】
0005633326.tif 000005
【図５】
0005633326.tif 000006
【図６】
0005633326.tif 000007
【図７】
0005633326.tif 000008
【図８】
0005633326.tif 000009
【図９】
0005633326.tif 000010
【図１０】
0005633326.tif 000011
【図１１】
0005633326.tif 000012
【図１２】
0005633326.tif 000013
【図１３】
0005633326.tif 000014